(57)【要約】【課題】  従来の製品における、店舗での商品補充の際にすでにアーム部に掛かっている商品を一旦全部取り外してから新しい商品を掛け、その後、再度先の商品を掛け直さなければならないという煩労を解消し、陳列作業の効率化と鮮度管理の向上を同時に実現することのできる商品陳列用フックの提供を課題とする。【解決手段】  図１上部はフック部３とそれに一体化したアーム部２が着脱可能なアーム部１と接続された状態を示す。アーム部１より一回り径の小さいアーム部２の先端部とアーム突起部２ｂが収まるように、アーム加工部１ａの表面部には切断加工、点線部には空洞処理が施してあり、双方の接続部分は容易な手順で着脱できる形状になっているので、図１下部に示すようにすでにアーム部１に掛かっている（旧）商品４を取り外すことなく、分断したアーム部１の後方から（新）商品５を補充することが可能となり、より効率的な商品陳列作業の実施を推進する。【選択図】図１
2018038688.tif 000002
【特許請求の範囲】
【請求項１】
径が異なる２種類のアーム部を採用し、その接続部分に必要最低限の加工を施すことで双方が容易な手順で着脱できることを特徴とし、分断したアーム部の後方からの商品補充が可能となる商品陳列用フック。
【発明の詳細な説明】
【技術分野】
【０００１】
本発明は、陳列作業の効率化と鮮度管理の向上を同時に実現することのできる商品陳列用フックに関するものである。
【背景技術】
【０００２】
現在、多種類の商品を取り扱い商取引を行う一般的な店舗形態（デパート、スーパーマーケット、コンビニエンスストア、ディスカウントストア、１００円均一ショップ等）において広く普及し採用されている金属製の商品陳列用フックは、商品陳列用什器に装着するフック部と商品を掛けるアーム部とが簡素な形状で溶接され一体化している製品が主流であるが、商品補充の際にはその構造上、すでにアーム部に掛かっている商品を一旦全部取り外してから新しい商品を掛け、その後、先の商品を再度掛け直さなければならないという作業が必要であった。
【０００３】
この非効率的な作業から発生する時間的なロスにより、多忙な大店舗、繁盛店舗、また商品管理の杜撰な店舗等においては古いものを前方へ、新しいものを後方へという商品陳列の基本、先入れ先出しをおろそかにしてしまい、特に食品に関するとその状況によっては実際に消費期限切れ、賞味期限切れ商品の陳列と販売の見落としから、それらを購入した顧客からのクレームにつながるというケースがままあり、事業者の消費者に対する社会通念上の責務である食の安全が厳守されずに、その店舗に対する信頼性のみならず、製造元、販売元の会社やブランドそのものに対する信頼性が損なわれるという問題があった。
【発明の概要】
【発明が解決しようとする課題】
【０００４】
解決しようとする問題点は、従来の製品における商品補充の作業効率の悪さと、それに応じて発生する商品の鮮度管理が疎漏になるという点であり、陳列作業の効率化と鮮度管理の向上を同時に実現することのできる商品陳列用フックを提供することを課題とする。
【課題を解決するための手段】
【０００５】
本発明は、商品陳列用フックのアーム部においてその根元部分が容易な操作で着脱可能な形状であることを主要な特徴とする。
【発明の効果】
【０００６】
本発明の商品陳列用フックは、フック部から分断したアーム部の後方から商品を補充することで効率的に先入れ先出しを実践し、より厳密な商品の鮮度管理ができるという利点がある。さらに派生的に生じる効果としてフック部を商品陳列用什器に装着したままアーム部のみを差し替えることができるという汎用性から、容易に商品同士を移動させて売り場のレイアウトの変更が行えるという利点、フック部１つに対し数種類の長さや形状の違うアーム部を用意することで、より多様な商品の陳列形態に低コストでの対応が可能になるという利点がある。また製造面においては、その簡潔な形状から従来の製品と同等の原材料コストで、より利便性の高い製品を製造し供給できることが見込まれる。
【図面の簡単な説明】
【０００７】
【図１】上部はアーム着脱式商品陳列用フックの全体部の形状を示した説明図である。下部はアーム着脱式商品陳列用フックにおける商品補充の実施方法を示した説明図である。
【図２】上部はアーム着脱式商品陳列用フックのアーム部接続部分の形状を左上から捉えて示した説明図である。下部はアーム着脱式商品陳列用フックのアーム部接続部分の形状を右上から捉えて示した説明図である。
【図３】上部はアーム着脱式商品陳列用フックのアーム部接続部分を分断した状態における各部の形状を右上から捉えて示した説明図である。下部はアーム着脱式商品陳列用フックのアーム部接続部分を分断した状態における商品補充の実施方法を右上から捉えて示した説明図である。
【図４】アーム着脱式商品陳列用フック（フック側）の様々な形状を示した説明図である。
【図５】アーム着脱式商品陳列用フック（アーム側）の様々な形状を示した説明図である。
【発明を実施するための形態】
【０００８】
従来の製品に近い形状を保ちながらアーム部の根元部分を容易な操作で着脱することができるという目的を、それぞれの部品に必要最少限の加工を施すことによって実現した。
【実施例】
【０００９】
図１は上部、下部共に本発明品の１実施例の全体図であって、アーム部１、アーム加工部１ａ、アーム部２、アーム突起部２ｂ、フック部３、（旧）商品４、（新）商品５は図２、図３、図４、図５と同様である。
【００１０】
本製品が商品陳列用什器に装着されている状況を想定し、その機能と商品補充の実施を説明する。図１上部はフック部３とそれに溶接され一体化したアーム部２が着脱可能なアーム部１と接続された状態を示す。図２上部に示すようにアーム加工部１ａの表面部には切断加工、点線部には空洞処理が施してあり、アーム部１より一回り径の小さいアーム部２の先端部とアーム突起部２ｂが収まることで双方の接続部分が固定され通常の商品陳列フックとしての機能を果たす。
【００１１】
図１上部の状態からアーム部１を先方へ押し出し次に右側へ回転させると、アーム加工部１ａはその空洞部分と切断加工面によりアーム突起部２ｂに沿う形で可動し、アーム部双方の接続部分は図２上部の固定された状態から図２下部の状態へと移行する。次にアーム部１を手前へ引き抜くことでアーム部双方の接続部分は図３上部の分断された状態になり、図１下部、図３下部に示すように（旧）商品４を掛けたまま（新）商品５をアーム部１の後方から補充することが可能になる。
【００１２】
商品補充後に再びアーム部１とアーム部２を接続するには、アーム加工部１ａの切断加工面末端部にある切れ口をアーム突起部２ｂに合わせる形でアーム部１をアーム部２の先端部へ差し込み、次に左側に回転させて手前に引き込むことでアーム加工部１ａはその空洞部分と切断加工面によりアーム突起部２ｂに沿う形で可動し、アーム部双方の接続部分は図２上部で示した固定された状態へ戻すことが可能となる。
【産業上の利用可能性】
【００１３】
本発明が有する特徴と汎用性は、図４並びに図５で示すように多様な形状の製品に対しても同じ機能と効果を得ることができるので、その組み合わせ方の自由度と発展性により製造者、事業者、消費者の三者にとってより有益で利便性の高い商品の陳列形態を開発、展開することができる可能性がある。またそれによって新規に需要が発生し広く大きな経済的効果を生み出す可能性も期待できる。
【符号の説明】
【００１４】
１  アーム部１
１ａ  アーム加工部１ａ
２  アーム部２
２ｂ  アーム突起部２ｂ
３  フック部３
４  （旧）商品４
５  （新）商品５
６  アーム部３（プライスカード・ホルダー取付け用）
【図１】
2018038688.tif 000003
【図２】
2018038688.tif 000004
【図３】
2018038688.tif 000005
【図４】
2018038688.tif 000006
【図５】
2018038688.tif 000007